(57)【特許請求の範囲】
【請求項１】
電子キーシステムの携帯機であって、
当該携帯機の本体に設けられた収納部に挿入されて収納されるエマージェンシーキーの先端付近には、当該エマージェンシーキーの鍵溝部分に、その鍵溝とは別の溝若しくは穴からなる係合部が設けられ、
前記収納部に挿入された前記エマージェンシーキーを着脱可能に保持するために当該携帯機の本体に設けられるロック機構は、
当該携帯機の本体に回動可能に支持されると共に、その回動軸に対して垂直な方向の両端のうち、一方の端が当該携帯機の本体の外側から内側方向に押されることで、他方の端が当該携帯機の本体の外側へ浮き上がる回動部材を備え、
前記回動部材にて前記回動軸よりも前記他方の端側には、前記収納部内に突出し、前記収納部に収納された状態の前記エマージェンシーキーの係合部に嵌合する突起が設けられ、
前記収納部は、当該携帯機の本体の外壁のうち、対向する２つの外壁と、該２つの外壁に挟まれる外壁（以下、中央の外壁という）との３つの外壁を当該収納部の側壁としており、
前記回動軸は、前記収納部での前記エマージェンシーキーの抜き差し時の摺動方向に対して垂直であると共に、
前記回動部材は、前記両端のうち、前記他方の端の方が、前記収納部の前記エマージェンシーキーが挿入される挿入口側となるように設けられ、かつ、前記中央の外壁側に設けられており、
前記エマージェンシーキーの鍵溝は、当該エマージェンシーキーの長手方向に形成された凹状の鍵溝であること、
を特徴とする電子キーシステムの携帯機。
【請求項２】
請求項１に記載の電子キーシステムの携帯機において、
前記突起は、前記収納部の前記エマージェンシーキーが挿入される挿入口側の端から当該突起の高さが最も高い地点にかけて、その高さが徐々に大きくなる形状であること、
を特徴とする電子キーシステムの携帯機。
【請求項３】
請求項１又は請求項２に記載の電子キーシステムの携帯機において、
前記ロック機構は、
前記他方の端が当該携帯機の本体の外側へ浮き上がった状態の前記回動部材に対して、前記他方の端が当該携帯機の本体の外側へ浮き上がる前の状態に戻る力を与える付勢部材を備えていること、
を特徴とする電子キーシステムの携帯機。
【請求項４】
請求項１ないし請求項３の何れか１項に記載の電子キーシステムの携帯機において、
前記回動軸は、前記収納部に収納された前記エマージェンシーキーの長手方向の中心軸の一直線上又はそれよりも当該携帯機の本体の内側となるように設けられていること、
を特徴とする電子キーシステムの携帯機。
【請求項５】
請求項１ないし請求項４の何れか１項に記載の電子キーシステムの携帯機において、
当該携帯機の本体は、前記２つの外壁のうちの一方を含む第１の部分と、前記２つの外壁のうちの他方を含むと共に、前記回動部材が設けられている第２の部分との、２つに分解可能に形成されており、
更に、前記第２の部分にて前記回動部材が設けられている外壁と、前記収納部の他の側壁として当該携帯機の本体内に設けられた壁部とのうち、少なくとも一方には、前記収納部内に突出した突出部が設けられ、
前記エマージェンシーキーが前記収納部に収納されている状態では、前記突出部が、前記エマージェンシーキーの鍵溝に嵌まるようになっていること、
を特徴とする電子キーシステムの携帯機。
【発明の詳細な説明】
【技術分野】
【０００１】
本発明は、電子キーシステムにおいて使用者に携帯される携帯機に関するものである。
【背景技術】
【０００２】
従来より、使用者に携帯される携帯機と電子装置との間で無線通信によりＩＤを照合してドアの施解錠といったセキュリティ機能の動作を行う電子キーシステムが知られており、特に自動車では、車両盗難防止効果を高めるために、エンジンの始動許可も、携帯機と車載電子装置との間のＩＤ照合に基づいて行うようにしたものが実用化されている。
【０００３】
そして、この種の電子キーシステムでは、携帯機の電池の電力がなくなった場合に備えて、その携帯機の本体に設けられた収納部に、メカニカルなキー（キープレート）であるエマージェンシーキーを収納しておくようにしている（例えば、特許文献１参照）。
【０００４】
そして更に、従来の電子キーシステムの携帯機では、エマージェンシーキーが本体の収納部から容易に抜けない様にするためのロック機構を本体側に構成している。
例えば図８に示すように、携帯機１０１の本体１０３には、手動でスライド操作されるスライド部材１０５と、そのスライド部材１０５を一定方向に付勢するスプリング１０７とからなるロック機構が設けられており、スライド部材１０５のスプリング１０７側とは反対側の突起１０５ａが、本体１０３の収納部１０９に挿入されて収納されたエマージェンシーキー１１１の係合溝１１１ａに嵌合することで、エマージェンシーキー１１１が収納部１０９から抜けてしまうことが防止される。そして、この構成例では、スライド部材１０５をスプリング１０７の付勢力に抗してスライドさせれば（つまり、図８における左方向にスライドさせれば）、そのスライド部材１０５の突起１０５ａと上記係合溝１１１ａとの嵌合が解除して、エマージェンシーキー１１１を本体１０３の収納部１０９から抜き出すことができるようになる。尚、図８において、（Ａ）は、携帯機１０１の正面図であり、（Ｂ）は、携帯機１０１の左側面図である。
【特許文献１】特開２００２−３２２８４１号公報（図３）
【発明の開示】
【発明が解決しようとする課題】
【０００５】
上記のように、従来の携帯機１０１では、スライド部材１０５全体をスライドさせることで、エマージェンシーキー１１１の着脱作業（詳しくは、突起１０５ａを係合溝１１１ａに嵌合させたり、その嵌合を解除させる作業）ができるようになっている。この場合、スライド部材１０５をスライドさせるために必要なスペースを携帯機１０１の本体１０３に設けなければならないが、スライド部材１０５は全体がスライドされるため、上記スペースが大きくなってしまい、携帯機を小型化するのに障害となっていた。
【０００６】
そこで、本発明は、電子キーシステムの携帯機を小型化することを目的としている。
【課題を解決するための手段】
【０００７】
上記目的を達成するためになされた請求項１に記載の電子キーシステムの携帯機では、当該携帯機の本体（以下、携帯機本体ともいう）に設けられた収納部に挿入されて収納されるエマージェンシーキーの先端付近には、そのエマージェンシーキーの鍵溝部分に、その鍵溝とは別の溝若しくは穴からなる係合部が設けられ、収納部に挿入されたエマージェンシーキーを着脱可能に保持するために当該携帯機の本体に設けられるロック機構は、当該携帯機の本体に回動可能に支持されると共に、その回動軸に対して垂直な方向の両端のうち、一方の端が当該携帯機の本体の外側から内側方向に押されることで、他方の端が当該携帯機の本体の外側へ浮き上がる回動部材を備え、回動部材にて回動軸よりも他方の端側には、収納部内に突出し、収納部に収納された状態のエマージェンシーキーの係合部に
嵌合する突起が設けられ、収納部は、当該携帯機の本体の外壁のうち、対向する２つの外壁と、該２つの外壁に挟まれる外壁（以下、中央の外壁という）との３つの外壁を当該収納部の側壁としており、回動軸は、収納部でのエマージェンシーキーの抜き差し時の摺動方向に対して垂直であると共に、回動部材は、両端のうち、他方の端の方が、収納部のエマージェンシーキーが挿入される挿入口側となるように設けられ、かつ、中央の外壁側に設けられており、前記エマージェンシーキーの鍵溝は、当該エマージェンシーキーの長手方向に形成された凹状の鍵溝であることを特徴としている。
【０００９】
このような請求項１の携帯機では、例えば以下の手順でエマージェンシーキーを収納部に収納することができる。
【００１０】
まず、回動部材の上記一方の端を携帯機本体の外側から内側方向に押す。すると、回動部材の他方の端が携帯機本体の外側へ浮き上がることとなる。
そして、この状態で、エマージェンシーキーを収納部の挿入口から所定の位置（即ち、突起が係合部に嵌合することが可能な位置）まで挿入し、回動部材の他方の端を携帯機本体の外側から内側方向に押すと、突起がエマージェンシーキーの係合部に嵌合することとなり、エマージェンシーキーを収納部内に保持することができる。
【００１１】
また、このように収納されたエマージェンシーキーは、上記嵌合を解除すれば収納部から抜き出すことができる。即ち、回動部材の一方の端を携帯機本体の外側から内側方向に押すと、他方の端が携帯機本体の外側へ浮き上がり、突起と係合部との嵌合が解除されることとなるので、エマージェンシーキーを収納部から抜き出すことができる。
【００１２】
以上のような請求項１の携帯機によれば、携帯機本体（延いては、携帯機）を小型化することができる。
即ち、背景技術の携帯機１０１では、その本体１０３内に、スライド部材１０５全体を所定の長さだけスライドさせるためのスペースを収納部１０９とは別に設ける必要があったが、請求項１の携帯機では、収納部とは別に、収納部に挿入されてきたエマージェンシーキーと突起とが接触しない程度まで回動部材の一方の端が携帯機本体内に入り込むスペースさえあれば良いからである。
また、請求項１に記載の携帯機によれば、回動部材の突起がエマージェンシーキーの係合部に嵌合している状態で、使用者がエマージェンシーキーを収納部から抜き出そうとした際に、回動軸にかかる力は回動軸に対して垂直となるため、その際にエマージェンシーキーが回動軸及び回動部材に与える衝撃を小さくすることができる。
また、請求項１に記載の携帯機では、携帯機本体の脇に収納部を設けるようにしているため、携帯機本体内に予め装備されるもの（例えば、マイコンや通信回路等の電子回路）を効率良く配置することができ、携帯機本体（延いては、携帯機）を更に小型化することができる。
【００１３】
次に、請求項２に記載の携帯機では、請求項１の携帯機において、上記突起は、収納部のエマージェンシーキーが挿入される挿入口側の端から当該突起の高さが最も高い地点にかけて、その高さが徐々に大きくなる形状になっている。
【００１４】
このような請求項２の携帯機によれば、エマージェンシーキーを収納部に収納する前に、回動部材の一方の端を押さなくても済む。
つまり、まず、回動部材の他方の端が携帯機本体の外側に浮き上がっていない初期状態で、エマージェンシーキーを収納部の挿入口から挿入していくと、エマージェンシーキーの先端が回動部材の突起（詳しくは、突起における上記挿入口側の端）に接触する。そして更に、エマージェンシーキーを奥へ挿入していくと、エマージェンシーキーが突起を携帯機本体の外側へ徐々に持ち上げていくこととなり、それに伴い回動部材の他方の端が携帯機本体の外側へ徐々に浮き上がることとなる。
【００１５】
このため、エマージェンシーキーを単に上記所定の位置まで挿入してから、携帯機本体の外側に浮き上がった回動部材の他方の端を携帯機本体の外側から元の位置（即ち、回動部材の他方の端が携帯機本体の外側へ浮き上がる前の状態）まで押し戻して、その突起をエマージェンシーキーの係合部に嵌合させるだけで、エマージェンシーキーを収納部に収納することができる。
【００１６】
この様に、エマージェンシーキーを収納部に収納する作業を簡単にすることができる。
次に、請求項３に記載の携帯機では、請求項１又は請求項２の携帯機において、ロック機構は、上記他方の端が携帯機本体の外側へ浮き上がった状態の回動部材に対して、その他方の端が携帯機本体の外側へ浮き上がる前の状態に戻る力を与える付勢部材を備えている。
【００１７】
このような請求項３の携帯機によれば、回動部材の突起をエマージェンシーキーの係合部に嵌合させる際に、携帯機本体の外側へ浮き上がった回動部材の他方の端を押し戻す必要がなくなるので、エマージェンシーキーを収納部に収納する作業を簡単にすることができる。
【００２０】
ところで、請求項１〜３の何れかに記載の携帯機は、請求項４に記載の如く、回動軸が、収納部に収納されたエマージェンシーキーの長手方向の中心軸の一直線上又はそれよりも当該携帯機本体の内側となるように設けられていることが好ましい。
【００２１】
これによれば、回動部材の突起がエマージェンシーキーの係合部に嵌合している状態で、使用者がエマージェンシーキーを収納部から抜き出そうとした際に、回動部材に対して、突起がエマージェンシーキーの係合部から外れる方向（即ち、他方の端が携帯機本体の内側から外側へ回動する方向）には力が加わらないこととなるため、容易にエマージェンシーキーが抜けてしまうことを防止することができる。
【００２４】
次に、請求項５に記載の携帯機では、請求項１〜４の何れかに記載の電子キーシステムの携帯機本体は、上記２つの外壁のうちの一方を含む第１の部分と、上記２つの外壁のうちの他方を含むと共に、回動部材が設けられている第２の部分との、２つに分解可能に形成されている。
【００２６】
更に、第２の部分にて回動部材が設けられている外壁と、収納部の他の側壁として携帯機の本体内に設けられた壁部とのうち、少なくとも一方には、収納部内に突出した突出部が設けられ、エマージェンシーキーが収納部に収納されている状態では、その突出部が、エマージェンシーキーの鍵溝に嵌まるようになっている。
【００２７】
このような請求項５の携帯機によれば、エマージェンシーキーが収納部に収納されている状態の携帯機本体を、その第２の部分が第１の部分よりも下方になるようにして、第１の部分と第２の部分との２つに分解した場合には、分解前と同様に、回動部材の突起がエマージェンシーキーの係合部に嵌合しているだけでなく、突出部がエマージェンシーキーの鍵溝に嵌まっているので、エマージェンシーキーが第２の部分から容易に離脱してしまうことを防止することができる。また、このため、携帯機本体の分解時に、回動部材の突起に係合部が嵌合している状態のエマージェンシーキーが上記第２の部分から飛び出ようとして該エマージェンシーキーの挙動により回動部材にダメージを与えてしまう、といった可能性もなくすことができる。
【００２８】
尚、携帯機本体を２つに分解した際に、中央の外壁が第１の部分側と第２の部分側との２つに分かれる場合は、第２の部分側の中央の外壁が、第２の部分にて回動部材が設けられている側の外壁に相当し、また、携帯機本体が分解した際に中央の外壁が分かれない場合（即ち、第２の部分に中央の外壁の全てが含まれる場合）は、中央の外壁自体が第２の部分にて回動部材が設けられている側の外壁に相当する。
【発明を実施するための最良の形態】
【００２９】
以下、本発明が適用された実施形態の電子キーシステムの携帯機について、図面を用いて説明する。尚、本実施形態の携帯機は、使用者に携帯される小型の電子ユニットと車載電子装置との間で無線通信によりＩＤを照合し、その照合結果に基づき車両のドアの施解錠やエンジンの始動許可などを行う、所謂イモビライザーシステムを兼ね備えたスマートキーシステムにおいて、使用者側の電子キーユニットとして用いられるものである。
【００３０】
まず図１は、本実施形態の携帯機１を表す構成図である。尚、図１において、図１（Ａ）は、携帯機１の正面図であり、図１（Ｂ）は、携帯機１の右側面図である。
携帯機１は、樹脂によって略直方体に形成された本体（以下、携帯機本体ともいう）３
の内部に、車載電子装置の通信回路とＩＤ照合用の無線通信を行うためのアンテナ、送受信回路及びマイコン等からなるＩＤ照合通信処理部と、そのＩＤ照合通信処理部が動作するための電池と、該電池の電力が無くなった場合に車載電子装置のトランスポンダ送受信回路との間で電磁誘導式の無線通信によりＩＤ照合を行うトランスポンダとを備えている。尚、これら内部の電子回路部分については、一般的なものであるため、図示は省略している。また、以下の説明において、本体３の外壁のうち、図１（Ａ）における正面の外壁を表壁３ａといい、その表壁３ａとは反対側の外壁を裏壁３ｂという。
【００３１】
そして、本体３には、表壁３ａと、裏壁３ｂと、図１（Ａ）における右側の外壁３ｃ（以下、中央の外壁という）と、本体３内部に設けられ中央の外壁３ｃの長手方向に平行な内壁３ｄとを側壁とする収納部５が設けられており、通常の状態では、その収納部５に、上記電池の電力が無くなった場合に使用されるメカニカルなエマージェンシーキー７が挿入されて収納されている。
【００３２】
そして更に、本体３には、収納部５に収納されたエマージェンシーキー７を着脱可能に保持するためのロック機構９をなす回動部材２１が設けられている。
尚、エマージェンシーキー７は、本携帯機１の電池の電力がなくなった場合に、車両のドアに設けられているキーシリンダに差し込んで該ドアを解錠又は施錠するために用いられる。
【００３３】
次に、携帯機１の構成について、図２〜図４を用い詳しく説明する。尚、図２は、携帯機１の各部分の構成を表す構成図であり、図３は、ロック機構９を説明する説明図であり、図４は、ロック機構９を本体３に取り付ける手順を説明する説明図である。
【００３４】
まず、図２（Ａ）〜（Ｄ）に示すように、本体３は、表壁３ａを含む第１の部分Ｐと、裏壁３ｂを含む第２の部分Ｓとの２つに分解可能に形成されている。尚、図２（Ａ）は、第１の部分Ｐの正面図であり、図２（Ｂ）は、第１の部分Ｐの右側面図である。そして、図２（Ｃ）は、第２の部分Ｓの正面図であり、図２（Ｄ）は、第２の部分Ｓの右側面図である。
【００３５】
そして、本体３における表壁３ａ及び裏壁３ｂ以外の四方の外壁の各々は、第１の部分Ｐ側と第２の部分Ｓ側とに分かれるようになっている。例えば、中央の外壁３ｃの場合、図２（Ｂ），（Ｄ）に示すように、中央の外壁３ｃは、その長手方向で第１の部分Ｐ側と、第２の部分Ｓ側との２つに分かれるようになっている。このため、第１の部分Ｐを第２の部分Ｓに取り付けることで上記四方の外壁が形成されることとなる。
【００３６】
一方、収納部５の側壁となる本体３内の内壁３ｄは、第２の部分Ｓ側に設けられている。
尚、図２（Ｂ），（Ｄ）の下側の断面部分に示すように、第１の部分Ｐには、該第１の部分Ｐと第２の部分Ｓとの一体化を保持するための嵌合部ｋ１が設けられており、第２の部分Ｓには、第１の部分Ｐの嵌合部ｋ１に嵌合する嵌合部ｋ２が設けられている。そして、図２（Ｃ）に示すように、第２の部分Ｓの嵌合部ｋ２は、上記四方の外壁のうち、中央の外壁３ｃ以外の外壁と、内壁３ｄとに設けられている。また、第１の部分Ｐの嵌合部ｋ１は、図２（Ｂ）にて図示されていない部分もあるが、第２の部分Ｓの嵌合部ｋ２に対応した位置に設けられている。
【００３７】
そして、本体３の裏壁３ｂには、図２（Ｃ），（Ｄ）に示すように、本体３の内側へ垂直に突出すると共に、根元側から先端側に向かって３段階に直径が小さくなっている円柱状の突起１１が、収納部５のエマージェンシーキー７が挿入される挿入口５ａ側とは反対側に設けられている。
【００３８】
そして更に、その突起１１の収納部５側とは反対側は、空間１３になっている。
また、本体３の内壁３ｄには、収納部５側に突出した突出部１５が、収納部５の挿入口５ａ側に設けられている。そして、突出部１５は、収納部５に収納されている状態のエマージェンシーキー７に形成された鍵溝１９（図２（Ｅ）参照）に嵌まるようになっている。
【００３９】
また更に、本体３の裏壁３ｂにて、突起１１の根元付近の空間１３側には、突起１１の根元よりも凹んだ凹部１６が形成されている。
次に、エマージェンシーキー７は、図２（Ｅ），（Ｆ）に示すように、金属からなる長尺状のキープレート部分（即ち、収納部５に収納される部分）７ａと、樹脂からなり、当該エマージェンシーキー７を使用する際にグリップとして用いられるグリップ部分７ｂとから構成されている。尚、図２（Ｅ）は、エマージェンシーキー７の正面図であり、図２（Ｆ）は、エマージェンシーキー７の右側面図である。
【００４０】
そして、エマージェンシーキー７のキープレート部分７ａの両面（図２（Ｅ）の左右側の面）には、図２（Ｆ）に示すように、グリップ部分７ｂ側から所定長だけ当該キープレート部分７ａの長手方向に平行な凹状で、そこから本エマージェンシーキー７の先端（即ち、グリップ部分７ｂ側とは反対側の端）付近まで波状に続く凹状になっており、更にその先端付近から先端に向かって三角州状に広がる凹状の鍵溝１９が形成されている。更に、その三角州状の部分には、キープレート部分７ａを貫通した穴１７（係合部に相当）が設けられている。尚、エマージェンシーキー７の鍵溝１９のうち、波状の部分は、各車両毎に異なった形状をしている。
【００４１】
次に、ロック機構９は、図２（Ｇ）に示すように、収納部５の挿入口５ａ側とは反対側に設けられている。尚、図２（Ｇ）においては、ロック機構９を図２（Ａ）〜（Ｆ）よりも拡大して表しており、後述する捩じりコイルバネ２３には、ハッチを付している。
【００４２】
そして、ロック機構９は、本体３の突起１１における根元側の円柱部分１１ａ及び中央の円柱部分１１ｂ（以下、この２つの円柱部分１１ａ，１１ｂを回動軸１１ともいう）に対して回動可能に支持されると共に、収納部５に挿入されたエマージェンシーキー７を収納部５内に保持する略長尺状の回動部材２１を備えている。
【００４３】
回動部材２１は、当該回動部材２１の長手方向の両端のうち、回動軸１１よりも空間１３側の端２１ａ（以下、一方の端２１ａという）が本体３の外側から内側方向に押されると、その一方の端２１ａが本体３の上記空間１３内に入り込むと共に、他方の端（即ち、回動軸１１よりも収納部５側の端）２１ｂが本体３の外側へ浮き上がるようになっている。
【００４４】
そして、回動部材２１の他方の端２１ｂ側には、収納部５内に突出し、収納部５に収納された状態のエマージェンシーキー７の穴１７に嵌合する突起２１ｃが設けられている。そして、突起２１ｃは、回動部材２１を本体３に取り付けた状態で、収納部５の挿入口５ａ側の端から当該突起２１ｃの高さが最も高い地点にかけて、その高さが徐々に大きくなる形状になっている。
【００４５】
更に、図３（Ａ），（Ｃ）に示すように、回動部材２１の中央部分には、当該回動部材２１が本体３の突起１１に取り付けられるための穴２２が設けられている。尚、その穴２２は、本体３の突起１１における根元側の円柱部分１１ａ及び中央の円柱部分１１ｂがきちんと嵌まるような形状になっている。
【００４６】
そして更に、図３（Ｂ），（Ｃ）に示すように、その穴２２の一方の端２１ａ側及び他方の端２１ｂ側には、当該回動部材２１から突出した突部２１ｄ，２１ｅが設けられている。そして、回動部材２１の突部２１ｄ、２１ｅのうち、一方の端２１ａ側の突部２１ｄは、本体３の凹部１６に入り込み、回動部材２１の回動に合わせて凹部１６内で移動するようになっている。一方、他方の端２１ｂ側の突部２１ｅは、収納部５内に入り込み、回動部材２１の回動に合わせて収納部５内で移動するようになっている。
【００４７】
尚、図３（Ａ）は、回動部材２１の正面図であり、図３（Ｂ）は、回動部材２１の右側面図であり、図３（Ｃ）は、回動部材２１の背面図である。
また、ロック機構９は、回動部材２１の一方の端２１ａに対して携帯機本体３の内側から外側方向に常時力を与える図３（Ｄ），（Ｅ）の如き捩じりコイルバネ２３（請求項２の付勢部材に相当）も備えている。尚、図３（Ｄ）は、捩じりコイルバネ２３を本体３に取り付ける前の状態の正面図であり、図３（Ｅ）は、捩じりコイルバネ２３の右側面図である。
【００４８】
このようなロック機構９は、以下の手順で組立てられている。
まず、図４（Ａ）に示すように、何も取り付けられていない状態から図４（Ｂ）に示す如く、本体３の突起１１に、その突起１１が回動部材２１の穴２２を貫通するように、回動部材２１を取り付ける。すると、回動部材２１の穴２２に対して、本体３の突起１１における根元側の円柱部分１１ａ及び中央の円柱部分１１ｂがきちんと嵌まるようになっているので、回動部材２１が本体３の突起１１に支持されると共に、突起１１の中心軸を中心に回動可能となる。また、回動部材２１の他方の端２１ｂを本体３の内側方向に回動させた際には、所定の位置で回動部材２１の一方の端２１ａ側の突部２１ｄが本体３の凹部１６の端に引っ掛かると共に、他方の端２１ｂ側の突部２１ｅが本体３の内壁３ｄに当接することとなり、他方の端２１ｂが収納部５内に入り込まないこととなる。
【００４９】
次いで、図４（Ｃ）に示すように、捩じりコイルバネ２３のコイル状の部分２３ａを本体３の突起１１における中央の円柱部分１１ｂまで差し込むと共に、当該捩じりコイルバネ２３の両端のうちの一方を回動部材２１の一方の端２１ａの空間１３側の面に当接させ、もう一方を内壁３ｄの空間１３側の面に当接させる。これにより、捩じりコイルバネ２３は、回動部材２１の一方の端２１ａに対して上述した力を与えることとなる。
【００５０】
そして、図４（Ｄ）に示すように、ワッシャ２５を本体３の突起１１における先端側の円柱部分１１ｃに取り付けて、更にワッシャ２５よりも突出している円柱部分１１ｃを熱で溶かすことによりワッシャ２５と溶着させる。これにより、図２（Ｇ）に示すように、ワッシャ２５が本体３に固定された組立状態となり、本体３を２つに分解した際に、回動部材２１及び捩じりコイルバネ２３が、本体３（詳しくは、第２の部分Ｓ）から容易に外れないこととなる。
【００５１】
次に、以上のような構成の携帯機１において、エマージェンシーキー７を収納部５に収納する手順を、図５を用い説明する。尚、図５（Ａ）は、エマージェンシーキー７が収納部５に完全に収納される直前の状態を表し、図５（Ｂ）は、エマージェンシーキー７が収納部５に収納された状態を表している。
【００５２】
まず、エマージェンシーキー７を収納部５の挿入口５ａ（図２参照）から挿入していくと、エマージェンシーキー７の先端が回動部材２１の突起２１ｃ（詳しくは、突起２１ｃにおける挿入口５ａ側の先端）に接触する。
【００５３】
そして更に、エマージェンシーキー７を奥へ挿入していくと、図５（Ａ）に示すように、エマージェンシーキー７が突起２１ｃを本体３の外側へ持ち上げていくこととなり、それに伴い回動部材２１の他方の端２１ｂが本体３の外側方向へ浮き上がることとなる。
【００５４】
更に、エマージェンシーキー７を挿入していくと、図５（Ｂ）に示すように、エマージェンシーキー７の穴１７が回動部材２１の突起２１ｃの位置まで挿入された時点で、回動部材２１が、捩じりコイルバネ２３の付勢力により元の位置（即ち、回動部材２１が回動する前の状態）まで戻ることとなる。
【００５５】
つまり、エマージェンシーキー７を収納部５に挿入していくと、エマージェンシーキー７の先端が回動部材２１の突起２１ｃに接触したときから、回動部材２１が自動的に捩じりコイルバネ２３の付勢力に抗して回動することとなり、エマージェンシーキー７を更に収納部５の奥まで挿入していくと、エマージェンシーキー７の穴１７が回動部材２１の突起２１ｃに達した時点で、回動部材２１が、捩じりコイルバネ２３の付勢力により上述した回動とは逆の回動を自動的に行うこととなる。これにより、回動部材２１の突起２１ｃがエマージェンシーキー７の穴１７に嵌合することとなるので、エマージェンシーキー７を収納部５内に保持することできる。
【００５６】
次に、このように収納されたエマージェンシーキー７を収納部５から抜き出す手順を、図６を用い説明する。尚、図６（Ａ）は、エマージェンシーキー７の穴１７と回動部材２１の突起２１ｃとの嵌合が解除された状態を表し、図６（Ｂ）は、エマージェンシーキー７が収納部５から抜き出された状態を表している。
【００５７】
まず、回動部材２１の一方の端２１ａを本体３の外側から内側方向に押す。すると、図６（Ａ）に示すように、他方の端２１ｂが本体３の外側へ浮き上がり、これに伴い突起２１ｃとエマージェンシーキー７の穴１７との嵌合が解除されることとなる。
【００５８】
次いで、このように回動部材２１の一方の端２１ａを押した状態を維持しながら、図６（Ｂ）の矢印Ｙ１に示すように、エマージェンシーキー７のグリップ部分７ｂを本体３の外側へ引っ張ることで、エマージェンシーキー７を収納部５から抜き出すことができる。
【００５９】
そして、回動部材２１の一方の端２１ａを押し続けることをやめると、回動部材２１が、捩じりコイルバネ２３の付勢力により元の位置（即ち、回動部材２１の一方の端２１ａを押す前の状態）まで戻ることとなる。
【００６０】
以上のような本実施形態の携帯機１によれば、本体３には、収納部５とは別に、収納部５に挿入されてきたエマージェンシーキー７と突起２１ｃとが接触しない程度まで回動部材２１の一方の端２１ａが入り込むスペース（即ち、空間１３）があるだけで、エマージェンシーキー７を収納部５内に着脱可能に保持することができ、その結果、本体３（延いては、携帯機１）を小型化することができる。
【００６１】
しかも、本実施形態の携帯機１では、本体３の脇（即ち、本体３の内壁３ｄよりも中央の外壁３ｃ側）に、収納部５と空間１３とが回動軸１１を挟んで直線状に設けられているので、本体３に予め装備される上記電子回路部分を効率よく配置することができ、その結果、一層の小型化を達成することができる。
【００６２】
また、回動部材２１の突起２１ｃがエマージェンシーキー７の穴１７に嵌合している状態で、使用者がエマージェンシーキー７を収納部５から抜き出そうとした際に、回動軸１１にかかる力は回動軸１１に対して垂直となるため、その際にエマージェンシーキー７が回動軸１１及び回動部材２１に与える衝撃を小さくすることができる。
【００６３】
一方、エマージェンシーキー７を収納部５に収納する際には、エマージェンシーキー７を挿入するだけで回動部材２１が自動的に回動して、その結果、突起２１ｃとの嵌合まで行われることとなるため、この収納作業を簡単に実施することができる。
【００６４】
また、収納されたエマージェンシーキー７は、捩じりコイルバネ２３の付勢力により回動部材２１がエマージェンシーキー７を保持し続けることとなるため、簡単に外れることはない。
【００６５】
また更に、本実施形態の携帯機１では、回動軸１１の中心が収納部５に収納されたエマージェンシーキー７の長手方向の中心軸の一直線上となるように構成している。このため、回動部材２１の突起２１ｃがエマージェンシーキー７の穴１７に嵌合している状態で、使用者がエマージェンシーキー７を収納部５から抜き出そうとした際に、該エマージェンシーキー７は回動部材２１に対して、突起２１ｃがエマージェンシーキー７の穴１７から外れる方向の回転力（以下、外回転力といい、外回転力とは逆方向に働く力を内回転力という）を加えないこととなるため、エマージェンシーキー７が抜けてしまうことを確実に防止することができる。
【００６６】
ところで、例えば、電池がなくなった際には、本体３の第２の部分Ｓが第１の部分Ｐよりも下方になるようにして、本体３を第１の部分Ｐと第２の部分Ｓとの２つに分解することで電池を交換することができる。
【００６７】
ここで、エマージェンシーキー７が収納部５に収納されている状態で、本体３を上記のように分解した場合、分解前と同様に、回動部材２１の突起２１ｃがエマージェンシーキー７の穴１７に嵌合しているだけでなく、突出部１５がエマージェンシーキー７の鍵溝１９（詳しくは、鍵溝１９にてキープレート部分７ａの長手方向に平行な凹状部分）に嵌まっているので、エマージェンシーキー７が第２の部分Ｓから容易に離脱してしまうことを防止することができる。また、このため、本体３の分解時に、回動部材２１の突起２１ｃに穴１７が嵌合している状態のエマージェンシーキー７が第２の部分Ｓから飛び出ようとして該エマージェンシーキー７の挙動により回動部材２１にダメージを与えてしまう、といった可能性もなくすことができる。
【００６８】
以上、本発明の一実施形態について説明したが、本発明は、種々の形態を採り得ることは言うまでもない。
例えば、回動軸１１の中心が収納部５に収納されたエマージェンシーキー７の長手方向の中心軸よりも本体３の外側となるように構成しても良い。この場合、使用者が収納部５に収納された状態のエマージェンシーキー７を収納部５から抜き出そうとした際に、回動部材２１には上記外回転力が発生することとなるが、この状態で該外回転力の大きさよりも大きい付勢力（即ち、回動部材２１の一方の端２１ａを元の位置に戻そうとする力）を発生するような捩じりコイルバネ２３を用いれば良い。
【００６９】
また、上記実施形態の携帯機１は、図７の携帯機１ａのように変形しても良い。尚、図７は、エマージェンシーキー７が収納部５に収納された状態の携帯機１ａの回動部材２１の部分を模式的に示した図である。また、図７において、上述した図１〜図６と同じ構成要素については同一の符号を付しているため詳細な説明は省略する。また、図７に示す一点鎖線は、収納部５に収納されたエマージェンシーキー７の長手方向の中心軸を示す仮想直線Ｌである。
【００７０】
即ち、本携帯機１ａでは、回動軸１１の中心が仮想直線Ｌよりも本体３の内側となるように設けられている。
このように構成すれば、使用者が収納部５に収納された状態のエマージェンシーキー７を収納部５から抜き出そうとした際に、エマージェンシーキー７は回動部材２１に対して上記内回転力を加えることとなるため、エマージェンシーキー７が抜けてしまうことを一層確実に防止することができる。尚、回動軸１１が仮想直線Ｌよりも本体３の内側にあるほど内回転力が大きくなるので、本携帯機１ａの方が上記実施形態の携帯機１よりも内回転力を大きくすることができ、エマージェンシーキー７の抜け防止という面では有利である。但し、上記実施形態の携帯機１のように回動軸１１の中心が収納部５に収納されたエマージェンシーキー７の長手方向の中心軸の一直線上となるように構成した方が、本体３の小型化という面では有利である。
【００７１】
一方、回動部材２１に対して一方の端２１ａが本体３の空間１３の中へ押される前の状態に戻る力を与える付勢部材は、捩じりコイルバネ２３に限らず、回動部材２１に対して元の位置へ戻る力を与えるようになっていれば、違う部材や構造のものを用いても良い。
【００７２】
また、回動部材２１は、収納部５に挿入されたエマージェンシーキー７を着脱可能に保持することができれば、本体３に対してどのように設けても良い。例えば、回動部材２１を本体３の表壁３ａに設けることが考えられる。
【００７３】
この場合、回動軸１１を、その長手方向が収納部５でのエマージェンシーキー７の抜き差し時の摺動方向に対して平行となるように構成しても良い。但し、本実施形態の携帯機１のように、回動軸１１の長手方向が上記摺動方向に対して垂直となるように回動部材２１を設けた方が、上述したように、エマージェンシーキー７が回動軸１１及び回動部材２１に与える衝撃を小さくすることができるので有利である。
【００７４】
ところで、本実施形態では、本体３の突起１１を熱で溶かす手法を用いることにより回動部材２１が本体３から外れないようにしていたが、この手法に限らず、例えば、本体３の突起１１の先端にネジ部を設けて、そこにネジを取り付けることで回動部材２１が本体３から外れないようにしても良い。
【００７５】
また、回動軸１１は、携帯機本体３側に限らず、回動部材２１側に形成しても良い。
一方、携帯機本体３の形状は、略直方体に限らず、様々な形状にすることができる。
また、本発明は、車両用の電子キーシステムに限らず、住宅用などの様々な用途の電子キーシステムの携帯機に対して、同様に適用することができる。
【図面の簡単な説明】
【００７６】
【図１】実施形態の携帯機を表す構成図である。
【図２】同携帯機の本体，エマージェンシーキー及びロック機構を表す構成図である。
【図３】ロック機構を説明する説明図である。
【図４】ロック機構を本体に取り付ける手順を説明する説明図である。
【図５】エマージェンシーキーを収納部に収納する手順を説明する説明図である。
【図６】収納されたエマージェンシーキーを収納部から抜き出す手順を説明する説明図である。
【図７】変形例の携帯機を説明する模式図である。
【図８】従来の電子キーシステムの携帯機を説明する説明図である。
【符号の説明】
【００７７】
１，１ａ…携帯機、３…本体、３ａ…表壁、３ｂ…裏壁、３ｃ…中央の外壁、３ｄ…内壁、５…収納部、５ａ…挿入口、７…エマージェンシーキー、９…ロック機構、１１…回動軸、１３…空間、１５…突出部、１７…穴、１９…鍵溝、２１…回動部材、２１ａ…一方の端、２１ｂ…他方の端、２１ｃ…突起、２３…捩じりコイルバネ、２５…ワッシャ、Ｐ…第１の部分、Ｓ…第２の部分
【図１】
0004643152.tif 000002
【図２】
0004643152.tif 000003
【図３】
0004643152.tif 000004
【図４】
0004643152.tif 000005
【図５】
0004643152.tif 000006
【図６】
0004643152.tif 000007
【図７】
0004643152.tif 000008
【図８】
0004643152.tif 000009